(57)【特許請求の範囲】
【請求項１】
プレハブ冷却貯蔵庫のパネル同士を結合するロータリーロック用の穴を塞ぐキャップにおいて、蓋板と、この蓋板の一面に突出して形成され、かつ、蓋板の略真ん中を中心とする略同一円上に間隔を開けて配置されている複数の脚部と、この脚部の先端側部分の外側から蓋板に向かって裾広がりに傾斜して設けられ脚部の外側面との間に溝が形成されているヒレ部とを備え、前記蓋板、脚部およびヒレ部が軟質樹脂で一体に形成されており、そして、前記脚部およびヒレ部がロータリーロック用の穴に挿入されて取り付けられていると共に、前記蓋板の一面の中心と脚部の先端部との距離が、ロータリーロック用の穴の半径と略同じか、または、ロータリーロック用の穴の半径よりも短いことを特徴とするロータリーロック用の穴を塞ぐキャップ。
【発明の詳細な説明】
【０００１】
【発明の属する技術分野】
本発明は、プレハブ冷却貯蔵庫のパネル同士を結合するロータリーロック用の穴を塞ぐキャップに関する。
【０００２】
【従来の技術】
従来のロータリーロック用の穴を塞ぐキャップは、図７および図８に図示するような構造をしている。図７は従来のキャップの説明図で、（ａ）がキャップの断面図、（ｂ）がキャップの脚部をロータリーロック用の穴に挿入する直前の断面図である。図８は従来のキャップの説明図の続きで、（ａ）がキャップの脚部をロータリーロック用の穴に挿入している最中の断面図、（ｂ）がロータリーロック用の穴に取り付けられているキャップの断面図である。
【０００３】
キャップ０１の蓋板０２は円板形状をしており、その一面には楔状の脚部０３が複数設けられている。そして、脚部０３の付け根部には溝０４が形成されており、この溝０４が、図８（ｂ）に図示するように、パネル０６の面材０７のロータリーロック用の穴０８の周縁部に係合している。
【０００４】
【発明が解決しようとする課題】
ところで、このキャップ０１の脚部０３の先端部０３ａと、キャップ０１の中心軸０１１との距離ｒ（以下「脚部先端半径ｒ」と呼ぶ）は、ロータリーロック用の穴０８の半径Ｒよりも、ほんの少し小さく形成されているが、ほとんど同じ値である。また、ロータリーロックにより互いに結合しているパネル０６同士を分離する場合には、ロータリーロック用の穴０８に取り付けられているキャップ０１を取り外して、ロータリーロックを操作してロックを解除する。この様に、ロータリーロック用の穴０８に取り付けられているキャップ０１は取り外すことがあるので、キャップ０１を取り外し易いように、キャップ０１は柔軟に構成されている。したがって、図７（ｂ）に図示するように、キャップ０１をロータリーロック用の穴０８に取り付ける際に、キャップ０１の蓋板０２の中心部を指などで矢印で図示するように押すと、キャップ０１の蓋板０２が反り返り、脚部０３の先端部０３ａが外側に開く。そして、脚部先端半径ｒが、ロータリーロック用の穴０８の半径Ｒよりも大きくなることがあり、脚部０３の先端部０３ａを、ロータリーロック用の穴０８に挿入しにくくなる。
【０００５】
また、キャップ０１の脚部０３は楔状をしており、図８（ａ）に図示する脚部０３の外側面がロータリーロック用の穴０８の縁部に当接している状態から、さらに押し込む際に、脚部０３全体を撓ます必要がある。したがって、抵抗がかなりあり、キャップ０１の取り付けに大きな力を要し、指先が痛くなる。しかも、ロータリーロック用の穴０８は多数設けられているので、キャップ０１の取り付け作業に多大の労力を有している。
【０００６】
本発明は、以上のような課題を解決するためのもので、容易に取り付けることができるロータリーロック用の穴を塞ぐキャップを提供することを目的とする。
【０００７】
【課題を解決するための手段】
本発明のキャップ（１１）は、プレハブ冷却貯蔵庫（１）のパネル（２）同士を結合するロータリーロック用の穴（６）を塞ぐものである。このキャップは、蓋板（１２）と、この蓋板の一面に突出して形成され、かつ、蓋板の略真ん中を中心とする略同一円上に間隔を開けて配置されている複数の脚部（１３）と、この脚部の先端側部分（１３ａ）の外側から蓋板に向かって裾広がりに傾斜して設けられ脚部の外側面との間に溝（１６）が形成されているヒレ部（１４）とを備えており、これらの蓋板、脚部およびヒレ部は軟質樹脂で一体に形成されている。そして、脚部およびヒレ部がロータリーロック用の穴に挿入されて取り付けられていると共に、蓋板の一面の中心と脚部の先端部との距離（Ｌ）が、ロータリーロック用の穴の半径（Ｒ）と略同じか、または、ロータリーロック用の穴の半径よりも短くする。
【０００９】
【発明の実施の形態】
次に、本発明におけるキャップの実施の一形態を図１ないし図６を用いて説明する。図１はプレハブ冷却貯蔵庫の斜視図である。図２はパネルの説明図で、（ａ）がパネルの斜視図、（ｂ）が（ａ）の B-B断面の要部拡大図である。図３はキャップの説明図で、（ａ）がキャップの正面図、（ｂ）がキャップの底面図である。図４はキャップの説明図の続きで、（ａ）がキャップの断面図、（ｂ）がキャップの脚部をロータリーロック用の穴に挿入する直前の断面図である。図５はキャップの説明図の続きで、（ａ）がキャップの脚部をロータリーロック用の穴に挿入している最中の断面図、（ｂ）がロータリーロック用の穴に取り付けられているキャップの正面図である。図６は図５（ａ）の要部拡大図である。なお、図４（ａ）と図４（ｂ）とは拡大倍率が異なっており、キャップなどの大きさが異なって図示されている。
【００１０】
図１に図示するプレハブ冷却貯蔵庫１は、結合装置であるロータリーロックで断熱パネル２を複数結合させて構成されている。この各断熱パネル２は、ステンレス板や塗装鋼板からなる一対の面材３を間隔を開けて対向させ、面材３間の空間にウレタンなどの断熱材４を注入発泡させて形成されている。そして、断熱パネル２の庫内側の面材３の複数箇所に略円形の段落ち部５が形成され、その中央部にロータリーロック用の略円形の穴６が形成されている。このロータリーロック用の穴６に、先端部がロータリーロック用の穴６よりも少し大径のロータリーロックのレンチ導入経路７が連通している。このロータリーロック用の穴６およびレンチ導入経路７に、レンチを挿入して、ロータリーロックの図示しないフックを回動して操作し、隣接する断熱パネル２のピンに係合させている。
【００１１】
このロータリーロック用の穴６は、断熱パネル２同士を結合した後は、キャップ１１が嵌め込まれて、蓋がされている。このキャップ１１は、一面が略平坦で他面が丸く膨出している略円板状の蓋板１２と、この蓋板１２の一面から突出している断面略円弧状の複数の脚部１３と、各脚部１３の先端部１３ａの外側から蓋板１２に向かって裾広がりに傾斜して設けられているヒレ部１４とから構成され、軟質ポリ酢酸ビニール（ＰＶＡＣ）などの軟質樹脂で一体成形されて弾性を有している。ヒレ部１４は、その先端の半径Ｌ２（すなわちキャップ１１の中心軸線とヒレ部１４の先端との距離）が、ロータリーロック用の穴６の半径Ｒよりも大きく形成されている。そして、脚部１３の外側面とヒレ部１４との間には溝１６が形成され、また、ヒレ部１４の端部と蓋板１２とは、段落ち部５の厚みと略等しいか、または段落ち部５の厚みよりも僅かに大きい間隔を有している。さらに、前記脚部１３は複数たとえば４個設けられ、蓋板１２の略真ん中を中心とする略同一円上に間隔を開けて配置されている。
【００１２】
そして、蓋板１２の中心軸線から脚部１３の先端部１３ａまでの半径Ｑは、ロータリーロック用の穴６の半径Ｒの略半分程度である。また、蓋板１２の脚部１３配置側の面の中心と脚部１３の先端部１３ａまでの距離Ｌは、ロータリーロック用の穴６の半径Ｒと略同じか、もしくは、ロータリーロック用の穴６の半径Ｒよりも短く形成されている。
【００１３】
この様に構成されているキャップ１１は、蓋板１２の脚部１３配置側とは反対側の面を指で押圧して、脚部１３を断熱パネル２のロータリーロック用の穴６に挿入して押し込んで取り付けられている。この取り付け状態を図４ないし図６を用いて説明する。
【００１４】
まず最初に、蓋板１２を指で押圧した際に、図４（ｂ）に図示するように、蓋板１２が反り返り、脚部１３の先端部１３ａが開き、図４（ａ）に図示する蓋板１２の中心軸線から脚部１３の先端部１３ａまでの半径Ｑは、図４（ｂ）に図示する距離Ｓに拡大する。なお、図４（ａ）と図４（ｂ）とは拡大倍率が異なっているので、図４上では距離Ｓは半径Ｑよりも小さく表示されているが、実際は拡大している。
【００１５】
この様に、蓋板１２の中心軸線から脚部１３の先端部１３ａまでの半径Ｑは距離Ｓに拡大するが、距離Ｓの最大値は、蓋板１２が二つ折りになった場合で、蓋板１２の脚部１３配置側の面の中心と脚部１３の先端部１３ａまでの距離Ｌであり、この距離Ｌは前述のようにロータリーロック用の穴６の半径Ｒと略同じか、それ以下である。そして、キャップ１１をロータリーロック用の穴６に嵌め込む際の押圧では、蓋板１２が完全に二つ折りになることはないので、距離Ｓがロータリーロック用の穴６の半径Ｒよりも大きくなることは殆どない。したがって、脚部１３を断熱パネル２のロータリーロック用の穴６に挿入する際に、その先端部１３ａがロータリーロック用の穴６の縁部に当接することが少なくなる。その結果、脚部１３をロータリーロック用の穴６に簡単に挿入することができる。
【００１６】
そして、脚部１３がロータリーロック用の穴６に挿入されると、図５（ａ）に図示するように、キャップ１１のヒレ部１４の外側面が穴６の縁部に当接する。この状態から、脚部１３をロータリーロック用の穴６にさらに押し込むと、図６に図示するように、ヒレ部１４が弾性変形して内側すなわちキャップ１１の中心軸側に撓む。そして、前述のように、ヒレ部１４の内側には溝１６の空間が設けられており、この溝１６の空間はヒレ部１４の撓みを妨げることがない。したがって、ヒレ部１４は、脚部１３をほとんど変形させずに、溝１６の空間を狭くしながら、小さな力で撓むことができる。その結果、ヒレ部１４とロータリーロック用の穴６の縁部との抵抗は小さくなり、脚部１３を小さな力で押し込むことができる。
【００１７】
さらに、脚部１３を押し込み、蓋板１２が面材３の段落ち部５に当接すると、図５（ｂ）に図示する様に、ヒレ部１４が外側に開き元の状態に戻る。そして、ヒレ部１４の先端部が面材３の裏面に対向して、キャップ１１はロータリーロック用の穴６の縁部の裏面に係止される。この様にして、キャップ１１は断熱パネル２に取り付けられている。
【００１８】
また、断熱パネル２を組み立てて製作されているプレハブ冷却貯蔵庫１を、解体する際には、キャップ１１を取り外し、ロータリーロック用の穴６およびレンチ導入経路７にレンチを挿入して、ロータリーロックのフックを回動して、隣接する断熱パネル２のピンとの係合を解除し、結合している断熱パネル２を分離する。この様に、取り付けられたキャップ１１は、取り外すことがあるが、キャップ１１は軟質樹脂で形成されており、簡単に取り外すことができる。
【００１９】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）実施の形態においては、キャップ１１は軟質ポリ酢酸ビニール（ＰＶＡＣ）で形成されているが、軟質樹脂であれば、他の材質でも可能である。
【００２０】
（２）キャップ１１の蓋板１２は、ロータリーロック用の穴６を蓋することができるならば、その形状は適宜変更可能である。
（３）キャップ１１の脚部１３は、配置や断面形状などは適宜変更可能である。また、複数であれば、その数も４個以外でも可能である。
【００２１】
（４）ヒレ部１４の形状は適宜変更可能で、たとえば、切り込みが入れてあったり、リブなどが形成されていたりすることも可能である。また、ヒレ部１４は脚部１３の先端側部分の外側から蓋板に向かって裾広がりに形成されているならば、ヒレ部１４の配置は適宜変更可能である。たとえば、ヒレ部１４を脚部１３の最先端ではなく、脚部１３の途中から形成することも可能である。
（５）蓋板１２の脚部１３配置側の面の中心と脚部１３の先端部１３ａまでの距離Ｌは、必ずしもロータリーロック用の穴６の半径Ｒと略同じか、それよりも小さい必要はなく、大きいことも可能である。ただし、略同じか、それよりも小さくしておくと、脚部１３の先端部１３ａをロータリーロック用の穴６に挿入することが容易となる。
【００２２】
【発明の効果】
本発明によれば、ヒレ部が、キャップの脚部の先端側部分の外側から蓋板に向かって裾広がりに傾斜して設けられて、脚部の外側面との間に溝が形成されているので、脚部およびヒレ部をロータリーロック用の穴に挿入する途中において、ヒレ部の外側面がロータリーロック用の穴の縁部に当接しても、ヒレ部が内側に撓み、抵抗が増大することを防止することができる。したがって、キャップの脚部を小さな力で押し込むことができる。そして、脚部およびヒレ部がロータリーロック用の穴に挿入されると、撓んでいるヒレ部が元に戻り、ヒレ部の先端がロータリーロック用の穴の縁部に係止される。また、キャップは軟質樹脂で一体に形成されており、ロータリーロック用の穴に嵌め込まれているキャップを、簡単に取り外すことができる。
【００２３】
また、蓋板の一面の中心と脚部の先端部との距離が、ロータリーロック用の穴の半径と略同じか、または、ロータリーロック用の穴の半径よりも短いので、キャップの蓋板を指などで押した際に、蓋板が反り返り、脚部の先端部が開いても、脚部の先端部間の間隔がロータリーロック用の穴の直径よりも大きくなることが少なくなる。したがって、脚部の先端部がロータリーロック用の穴の縁部に当接することが減少し、キャップの脚部の先端部をロータリーロック用の穴に容易に挿入することができる。
【図面の簡単な説明】
【図１】図１はプレハブ冷却貯蔵庫の斜視図である。
【図２】図２はパネルの説明図で、（ａ）がパネルの斜視図、（ｂ）が（ａ）の B-B断面の要部拡大図である。
【図３】図３はキャップの説明図で、（ａ）がキャップの正面図、（ｂ）がキャップの底面図である。
【図４】図４はキャップの説明図の続きで、（ａ）がキャップの断面図、（ｂ）がキャップの脚部をロータリーロック用の穴に挿入する直前の断面図である。
【図５】図５はキャップの説明図の続きで、（ａ）がキャップの脚部をロータリーロック用の穴に挿入している最中の断面図、（ｂ）がロータリーロック用の穴に取り付けられているキャップの正面図である。
【図６】図６は図５（ａ）の要部拡大図である。
【図７】図７は従来のキャップの説明図で、（ａ）がキャップの断面図、（ｂ）がキャップの脚部をロータリーロック用の穴に挿入する直前の断面図である。
【図８】図８は従来のキャップの説明図の続きで、（ａ）がキャップの脚部をロータリーロック用の穴に挿入している最中の断面図、（ｂ）がロータリーロック用の穴に取り付けられているキャップの断面図である。
【符号の説明】
Ｌ  蓋板の脚部配置側の面の中心と脚部の先端部までの距離
Ｒ  ロータリーロック用の穴の半径
１  プレハブ冷却貯蔵庫
２  断熱パネル（パネル）
６  ロータリーロック用の穴
１１  キャップ
１２  蓋板
１３  脚部
１３ａ  先端部（先端側部分）
１４  ヒレ部
１６  溝
【図１】
0003717614.tif 000002
【図２】
0003717614.tif 000003
【図３】
0003717614.tif 000004
【図４】
0003717614.tif 000005
【図５】
0003717614.tif 000006
【図６】
0003717614.tif 000007
【図７】
0003717614.tif 000008
【図８】
0003717614.tif 000009